(57)【特許請求の範囲】
【請求項１】
対向する壁面間に構成され紙幣投入口に連なる紙幣搬送路に、当該紙幣投入口から投入した紙幣の受入れを許容すると共にその引抜きを阻止する逆止機構を臨ませた紙幣識別装置において、
前記逆止機構は、搬送方向に直交し且つ前記壁面に平行に前記紙幣搬送路内に配設した支軸と、
中間部を当該支軸に取り付けられ、前記紙幣搬送路内に斜めに寝かせて配設した逆止片と、
前記支軸を中心に当該逆止片を、その両外端部が前記両壁面にそれぞれ当接するように回動付勢する付勢手段と、を備えたことを特徴とする紙幣識別装置。
【請求項２】
対向する壁面間に構成され紙幣投入口に連なる紙幣搬送路に、当該紙幣投入口から投入した紙幣の受入れを許容すると共にその引抜きを阻止する逆止機構を臨ませた紙幣識別装置において、
前記逆止機構は、搬送方向に直交し且つ前記壁面に平行に前記紙幣搬送路内に配設した支軸と、
中間部を当該支軸に固定され、前記紙幣搬送路内に斜めに寝かせて配設した逆止片とを備え、
前記逆止片はばね片で構成され、その両外端部が前記両壁面をそれぞれ押圧している状態で、前記支軸に固定されていることを特徴とする紙幣識別装置。
【請求項３】
前記各壁面に、前記逆止片の各外端部が入り込む凹部を形成したことを特徴とする請求項１または２に記載の紙幣識別装置。
【発明の詳細な説明】
【０００１】
【産業上の利用分野】
本発明は、投入された紙幣の受入れを許容すると共に、引抜きを阻止する逆止機構を備えた紙幣識別装置に関するものである。
【０００２】
【従来の技術】
従来、この種の紙幣識別装置として、例えば図９および図１０に示すものが知られている。図９の紙幣識別装置は、紙幣搬送路１０２に突出する突出位置と紙幣搬送路１０２から退避する退避位置との間で回動自在に構成された引抜き阻止部材１０３と、引抜き阻止部材１０３を突出位置と退避位置との間で回動させるソレノイド１０４とで、逆止機構１０１が構成されている。この場合、ソレノイド１０４により、紙幣を受入れおよび返却する際には、引抜き阻止部材１０３を退避位置に回動させておき、紙幣を完全に受け入れた後には、紙幣の引き抜きを防止するために、引抜き阻止部材１０３を突出位置に回動させるようになっている。
【０００３】
同様に図１０の紙幣識別装置は、紙幣搬送路１１２に突出する突出位置と紙幣搬送路１１２から退避する退避位置との間で進退自在に構成された引抜き阻止部材１１３と、引抜き阻止部材１１３を突出位置と退避位置との間で進退させる作動手段１１４とで、逆止機構１１１が構成されている。作動手段１１４は、図外のモータと、モータに接続されたピニオン１１５と、引抜き阻止部材１１３に形成されたラック１１６とで構成され、モータの正逆回転により、上記の逆止機構１０１と同様に適宜、引抜き阻止部材１１３を突出位置と退避位置との間で進退させるようになっている。
【０００４】
【発明が解決しようとする課題】
このような従来の紙幣識別装置では、受け入れた紙幣の引抜きを有効に阻止できるものの、ソレノイド１０４や作動手段１１４などの引抜き阻止部材１０３，１１３の駆動装置が必要となるため、装置構成が複雑になり、コスト高になる問題があった。また、駆動装置の設置スペースが必要となり、装置が大型化してしまう不具合があった。
【０００５】
本発明は、このような問題点に鑑みてなされたものであり、極めて単純かつコンパクトな構造で、紙幣の引抜きを確実に阻止することができる紙幣識別装置を提供することをその目的としている。
【０００６】
【課題を解決するための手段】
上記目的を達成すべく請求項１の発明は、対向する壁面間に構成され紙幣投入口に連なる紙幣搬送路に、紙幣投入口から投入した紙幣の受入れを許容すると共にその引抜きを阻止する逆止機構を臨ませた紙幣識別装置において、逆止機構は、搬送方向に直交し且つ壁面に平行に紙幣搬送路内に配設した支軸と、中間部を支軸に取り付けられ、紙幣搬送路内に斜めに寝かせて配設した逆止片と、支軸を中心に逆止片を、その両外端部が両壁面にそれぞれ当接するように回動付勢する付勢手段と、を備えたことを特徴とする。
【０００７】
また請求項２の発明は、対向する壁面間に構成され紙幣投入口に連なる紙幣搬送路に、紙幣投入口から投入した紙幣の受入れを許容すると共にその引抜きを阻止する逆止機構を臨ませた紙幣識別装置において、逆止機構は、搬送方向に直交し且つ壁面に平行に紙幣搬送路内に配設した支軸と、中間部を支軸に固定され、紙幣搬送路内に斜めに寝かせて配設した逆止片とを備え、逆止片はばね片で構成され、その両外端部が両壁面をそれぞれ押圧している状態で、支軸に固定されていることを特徴とする。
【０００８】
これらの場合、各壁面に、逆止片の各外端部が入り込む凹部を形成することが、好ましい。
【０００９】
【作用】
紙幣投入口に投入された紙幣は、紙幣搬送路に沿って受け入れられ、逆止機構を通過して更に先方の待機位置まで一旦搬送され、ここで、識別結果を待って、先方への搬送動作または返却動作に移行する。この場合、逆止機構が、搬送方向に直交し且つ壁面に平行に紙幣搬送路内に配設した支軸と、中間部を支軸に取り付けられ、紙幣搬送路内に斜めに寝かせて配設した逆止片と、支軸を中心に逆止片を、その両外端部が両壁面にそれぞれ当接するように回動付勢する付勢手段とで、構成されているため、投入された紙幣の先端が斜めに配設された逆止片に突き当たると、紙幣は逆止片の手前側の側面に案内され、一方の壁面側に寄るようにして前進する。さらに紙幣が前進すると、紙幣の先端が一方の壁面に添うようにして当たり、その反力により、付勢手段に抗して逆止片の外端部を押し、これをわずかに回動させて、逆止片をくぐり抜けるようにして先方の待機位置に搬送される。逆に、返却動作に移行した紙幣の尾端が逆止片の奥側の側面に突き当たると、紙幣は他方の壁面側に寄るようにして前進し、上記と同様に、付勢手段に抗して逆止片をわずかに回動させ、逆止片をくぐり抜けて紙幣投入口に搬送される。
【００１０】
すなわち、投入時の紙幣と返却時の紙幣は、支軸を挟んで一方の壁面側と他方の壁面側とをそれぞれ通過する。したがって、テープや紐を付けた紙幣が投入された後テープを引くと、紙幣は支軸を挟んでテープと反対側に引き出されてくるため、支軸が邪魔になって紙幣の引抜きが阻止される。
【００１１】
同様に請求項２の紙幣識別装置にあっても、逆止機構の逆止片が、ばね片で構成され、その両外端部が両壁面をそれぞれ押圧している状態で、支軸に固定されているため、テープを付けた紙幣が投入されこれが引き出されると、紙幣は支軸を挟んでテープと反対側に引き出され、支軸が邪魔になって紙幣の引抜きが阻止される。
【００１２】
またこれらの場合、各壁面に、逆止片の各外端部が入り込む凹部を形成すれば、投入時或いは返却時に紙幣の先端を、逆止片の先端ではなく逆止片の側面に確実に付き当てることができ、紙幣をその進行方向に確実に案内することができる。
【００１３】
【実施例】
以下、添付図面を参照して、本発明の一実施例に係る紙幣収納装置を、いわゆるリサイクルビルバリデータに適用した場合について説明する。なお以降の説明では、発明の理解を容易にするため、先にリサイクルビルバリデータの全体構成を説明し、その後、発明に該当する要部を詳細に説明する。このリサイクルビルバリデータは、千円札、五千円札および一万円札を受け入れる機能を有すると共に、千円札を払い出す機能を有し、例えばパチンコ店の両替機や両替・玉貸機に搭載される。図１は紙幣受入れモードにあるリサイクルビルバリデータの断面図であり、図２は紙幣払出しモードにあるリサイクルビルバリデータの断面図である。
【００１４】
両図に示すように、このリサイクルビルバリデータ１は、キャビネット２内に、上下方向に上側から高額紙幣収納部３、紙幣識別部４、紙幣払出部５および低額紙幣収納部６が配設されており、このうち、高額紙幣収納部３は上部ユニットとして一体化され、紙幣識別部４、紙幣払出部５および低額紙幣収納部６は下部ユニットとして一体化されて、キャビネット２にそれぞれ着脱可能に取り付けられている。また、低額紙幣収納部６の下部は箱状に形成され、内部に回路基板７が収納されている。紙幣識別部４の前部には紙幣Ａを受け入れる紙幣投入口８が形成され、また紙幣払出部５の前部には紙幣Ａを払い出す紙幣払出口９が形成されている。この紙幣投入口８および紙幣払出口９は一体に形成され、キャビネット２から前方に突出している。キャビネット２の前側には、両図には図示していないが鍵付きの上ドア（上部ユニットに対応）および下ドア（下部ユニットに対応）が設けられ、これらドアの開口から紙幣投入口８および紙幣払出口９が外部に臨むようになっている。
【００１５】
一方、高額紙幣収納部３、紙幣識別部４、紙幣払出部５および低額紙幣収納部６を結ぶ紙幣搬送路は、紙幣投入口８から紙幣Ａを受入れ搬送する受入搬送路１０と、受入搬送路１０の下流端から分岐して高額紙幣収納部３に連なる高額紙幣搬送路１１および低額紙幣収納部６に連なる低額紙幣搬送路１２と、低額紙幣搬送路１２から分岐して紙幣払出部５に連なる払出搬送路１３とで構成されている。高額紙幣搬送路１１と低額紙幣搬送路１２との分岐部には第１ゲート１４が設けられ、低額紙幣搬送路１２と払出搬送路１３との分岐部には第２ゲート１５が設けられている。これら第１ゲート１４および第２ゲート１５は、図１に示す千円札を受け入れる状態を待機状態として、五千円札または一万円札を受け入れた場合には、第１ゲート１４が回動して、受け入れた紙幣Ａを受入搬送路１０から高額紙幣搬送路１１に導く。また、千円札を払い出す場合には、第２ゲート１５が回動して、低額紙幣収納部１２から搬送されてきた紙幣Ａを、低額紙幣搬送路１２から払出搬送路１３に導く。
【００１６】
高額紙幣収納部３は、高額紙幣搬送路１１の下流端に連なる待機通路２１と、待機通路２１を挟むように設けた紙幣送り込み装置２２と、紙幣送り込み装置２２を挟むように設けた上側の五千円金庫２３および下側の一万円金庫２４とを備えている。紙幣送り込み装置２２は高額紙幣スタック板２５を有し、この高額紙幣スタック板２５により、高額紙幣搬送路１１から待機通路２１に送り込まれてきた紙幣Ａを、それが五千円札であれば五千円金庫２３内に、一万円であれば一万円金庫２４内にそれぞれ送り込む。五千円金庫２３および一万円金庫２４は、ユニット化された高額紙幣収納部３に対し、それぞれ着脱自在に構成されており、それぞれ独自に取り出して集金が行えるようになっている。
【００１７】
なお、図中の符号２６は、紙幣送り込み装置２２を作動させる高額紙幣スタックモータであり、符号２７は、高額紙幣収納部３の高額紙幣搬送路１１に臨むローラなどの搬送装置、および紙幣識別部４の搬送装置（いずれも図示省略）を作動させる上部搬送モータである。また、図中の符号２８は、待機通路２１への紙幣Ａの送込み完了を検出する第１通過センサである。さらに、符号２９および３０は、高額紙幣スタック板２５の上動端位置および下動端位置をそれぞれ検出する第１位置センサおよび第２位置センサである。また、符号３１は、五千円金庫２３および一万円金庫２４の前面に位置する上記の上ドアに設けた第１スイッチであり、この第１スイッチ３１により上ドアが開放されているときに、リサイクルビルバリデータ１の運転を停止させるようになっている。そして、両図では省略されているが、五千円金庫２３および一万円金庫２４には、紙幣Ａの満杯を検出する第３位置センサおよび第４位置センサが、それぞれ設けられている。
【００１８】
紙幣識別部４は、外部から紙幣Ａを受け入れる紙幣投入口８と、紙幣投入口８から受け入れた紙幣Ａの真偽および金種を識別する識別機構（図示省略）と、受け入れた紙幣Ａを受入搬送路１０の待機位置まで搬送した後、識別機構の識別結果を待って、先方への搬送または返却のための逆搬送を行う搬送機構（図示省略）とを備えている。なお、図中の符号３５は、紙幣投入口８からの紙幣Ａの受入れ完了を検出する第２通過センサである。また、両図では省略されているが、第２通過センサ３５の上流側には、受入搬送路１０に臨み、受け入れた紙幣Ａの引き抜きを防止する機構が組み込まれている。
【００１９】
紙幣払出部５は、両替用などの紙幣Ａを、内部で所定枚数揃え、これを一括して払い出す機能を有すると共に、紙幣Ａを揃える際に、紙幣Ａが重なって送られてきたときに、これを払い出すことなく保留する機能を有している。このため、紙幣払出部５は、払出搬送路１３の下流端から１枚ずつ送り込まれてきた紙幣Ａを順次重ねるようにして揃えるための一括保留部４１と、一括保留部４１の下側に配設され、紙幣Ａが重なって送られてきたときにこれを保留するリジェクト保留部４２と、紙幣Ａを一括して払い出す払出搬送ベルト４３と、一括保留部４１およびリジェクト保留部４２を仕切ると共に、払出しに先立ち上動して一括保留部４１内の紙幣Ａを払出搬送ベルト４３に押し付けるガイド板４４と、一括保留部４１内の紙幣Ａをリジェクト保留部４２内に送り込むリジェクトスタック板４５と、払出搬送ベルト４３の先方に位置する紙幣払出口９とを備えている。この場合、紙幣払出口９、一括保留部４１、払出搬送ベルト４３およびガイド板４４が紙幣Ａの一括払出装置として機能し、リジェクト保留部４２、リジェクトスタック板４５およびガイド板４４が紙幣Ａのリジェクト装置として機能する。
【００２０】
すなわち、紙幣Ａが１枚ずつ一括保留部４１に送られてきて所定枚数に達すると、ガイド板４４が上動した後、払出搬送ベルト４３が走行して、紙幣Ａを一括して紙幣払出口９に送り出す一方、紙幣Ａが重なって送られてきた場合には、ガイド板４４が上動した後、リジェクトスタック板４５が下動し、紙幣Ａを、ガイド板４４をすり抜けさせて、一括保留部４１からリジェクト保留部４２に送り込む。
【００２１】
図中の符号４６は、ガイド板４４およびリジェクトスタック板４５を上下動させる払出スタックモータである。また、符号４７は、紙幣Ａの一括保留部４１への送込み完了（兼枚数のカウント）を検出する第３通過センサであり、符号４８は、紙幣Ａの一括払出しの完了を検出する第４通過センサである。さらに、符号４９は、払出搬送ベルト４３の走行停止位置を検出する第５位置センサ、符号５０および符号５１は、ガイド板４４の上動端位置および下動端位置をそれぞれ検出する第６位置センサおよび第７位置センサ、符号５２および符号５３は、リジェクトスタック板４５の上動端位置および下動端位置を検出する第８位置センサおよび第９位置センサである。また、符号５４は、リジェクト保留部４２内に紙幣Ａが保留されているか否かを検出する第２スイッチである。
【００２２】
なお、払出搬送ベルト４３の作動は、後述する下部搬送モータ６６により行われ、この下部搬送モータ６６から払出搬送ベルト４３に至る動力伝達機構は、両図では省略されている。同様に、上記の払出スタックモータ４６からガイド板４４およびリジェクトスタック板４５に至る動力伝達機構も、省略されている。
【００２３】
低額紙幣収納部６は、紙幣識別部４から搬送されてきた千円札を収納すると共に、収納した千円札を紙幣払出部５に送り出す機能を有している。このため、低額紙幣収納部６は、千円金庫６１と、低額紙幣搬送路１２から送り込まれてきた紙幣Ａを千円金庫６１内に送り込む送込みスタック板（図示省略）と、千円金庫６１内の紙幣を押さえている低額紙幣スタック板６２と、千円金庫６１から紙幣Ａを紙幣払出部５に送り出す低額紙幣搬送ベルト６３とを備えている。千円金庫６１は、ユニット化された低額紙幣収納部６に対し、着脱自在に構成されており、これを取り出すことにより、紙幣Ａの集金や両替用などの紙幣Ａの補充ができるようになっている。
【００２４】
低額紙幣搬送路１２から送り込まれてきた紙幣Ａは、低額紙幣搬送ベルト６３と低額紙幣スタック板６２との間に導かれ、低額紙幣搬送ベルト６３の走行により収納待機位置まで搬送される。ここで、送込みスタック板が下動し、紙幣Ａを、低額紙幣スタック板６２をすり抜けさせて千円金庫６１に送り込む。一方、紙幣Ａを送り出す場合には、低額紙幣スタック板６２が低額紙幣搬送ベルト６３に隠れる位置まで上動し、低額紙幣搬送ベルト６３が、紙幣Ａを最上位のものから１枚ずつ低額紙幣搬送路１２に送り出してゆく。図示しないが、千円金庫６１の出入口の近傍には分離ローラが設けられており、この分離ローラで最上位の紙幣Ａを低額紙幣搬送ベルト６３から受け渡されるようにして送ると共に、次の紙幣Ａを低額紙幣搬送ベルト６３に並べて設けた分離爪６４で押さえ、紙幣Ａを１枚ずつ低額紙幣搬送路１２に確実に送り込んでゆく。
【００２５】
もっとも、２枚の紙幣Ａ，Ａが水分なとで貼り付いている場合などでは、分離ローラおよび分離爪６４を用いても、この２枚の紙幣Ａ，Ａが重なって送られたり、その一部が重なった状態で送られたりしてしまう。かかる場合には、低額紙幣搬送路１２に設けた識別センサ６５および後述する第１２位置センサ（エンコーダ機能）７１が、この状態を識別し、上記のリジェクト装置を作動させる。
【００２６】
図中の符号６６は、低額紙幣搬送ベルト６３および上記の払出搬送ベルト４３を作動させる下部搬送モータであり、符号６７は、低額紙幣スタック板６２および送込みスタック板を上下動させる低額紙幣スタックモータである。また、符号６８は、紙幣Ａの千円金庫６１への送込み完了および送出し完了を検出して、低額紙幣搬送ベルト６３を起動・停止させる第５通過センサである。さらに、符号６９および符号７０は、低額紙幣スタック板６２の上動端位置および下動端位置を検出する第１０位置センサおよび第１１位置センサであり、符号７１は、下部搬送モータ６６の回転角度を検出する第１２位置センサである。
【００２７】
この場合、第５通過センサ６８により、低額紙幣搬送ベルト６３の起動・停止、すなわち下部搬送モータ６６に紙幣Ａの１枚送り分の回転を行わせることになるが、２枚の紙幣Ａ，Ａが一部重なった状態で送られると、下部搬送モータ６６が紙幣Ａの１枚送り分以上に回転する。そこで、第１２位置センサ７１により、この２枚の紙幣Ａ，Ａが一部重なった状態を検出させ、上記の識別センサ６５の識別能力を補完させるようにしている。
【００２８】
なお、図中の符号７２および７３は、千円金庫６１の満杯およびエンプティをそれぞれ検出する第１３位置センサおよび第１４位置センサである。また、符号７４は、千円金庫６１の前面に位置する上記の下ドアに設けた第３スイッチであり、この場合も、第３スイッチ７４により下ドアが開放されているときに、リサイクルビルバリデータ１の運転を停止させるようになっている。
【００２９】
次に、図１により、紙幣Ａの受入れ動作を、図２により、紙幣Ａの払出し動作を、それぞれ順を追って説明する。図１は、紙幣受入れモードにおける待機状態を表しており、第１ゲート１４および第２ゲート１５が千円札を受け入れる状態にある。この状態で、紙幣投入口８に千円札（紙幣Ａ）が投入されると、紙幣Ａは紙幣識別部４で識別された後、受入搬送路１０から低額紙幣搬送路１２を通って低額紙幣収納部６に送り込まれる。低額紙幣収納部６に送り込まれた紙幣Ａは、ここで、低額紙幣搬送路１２に連なる収納待機位置から、送込みスタック板により、千円金庫６１に送り込まれる。
【００３０】
一方、紙幣投入口８に五千円札または一万円札（紙幣Ａ）が投入されると、紙幣識別部４で五千円札であることまたは一万円札であることが識別され、第１ゲート１４が回動して搬送路の切り替えが行われる。紙幣識別部４を通過した紙幣Ａは、受入搬送路１０から高額紙幣搬送路１１を通って高額紙幣収納部３に送り込まれる。高額紙幣収納部３では、高額紙幣スタック板２５が上動端位置にあって、一万円札を受け入れる待機状態にあり、一万円札が待機通路２１に送り込まれてきた場合には、この状態から高額紙幣スタック板２５が下動して、紙幣Ａを一万円金庫２４に送り込む。また、紙幣Ａが紙幣識別部４で五千円札と識別された場合には、紙幣Ａが待機通路２１に送り込まれるまでに、高額紙幣スタック板２５が下動端位置に移動し、紙幣Ａを待機通路２１に受け入れたところで、高額紙幣スタック板２５が上動して、紙幣Ａを五千円金庫２３に送り込む。
【００３１】
図２は、紙幣払出しモードにおける待機状態を表しており、第２ゲート１５が回動して、低額紙幣搬送路１２と払出搬送路１３とが連通すると共に、低額紙幣収納部６の低額紙幣スタック板６２が、上動端位置に退避した状態にある。払出し指令により、低額紙幣搬送ベルト６３が走行を開始すると共に分離ローラが回転を開始すると、千円金庫６１から紙幣Ａが、低額紙幣搬送路１２および払出搬送路１３を通って、紙幣払出部５に１枚ずつ送り込まれて行く。紙幣Ａは、第３通過センサ４７でカウントされながら、一括保留部４１に積み重ねるようにして蓄積されてゆく。一括保留部４１内の紙幣Ａが所定枚数に達すると、低額紙幣搬送ベルト６３および分離ローラが停止すると同時に、紙幣払出部５のガイド板４４が上動する。ガイド板４４が紙幣Ａを伴って上動端位置に達すると、払出搬送ベルト４３が走行を開始し、紙幣Ａを一括して一括保留部４１から紙幣払出口９に送り出してゆく。
【００３２】
一方、千円金庫６１から一括保留部４１への搬送過程において、紙幣Ａが重なって搬送されていることが識別される（識別センサ６５および第１２位置センサ７１）と、この重なった紙幣Ａが一括保留部４１に達するのを待って、千円金庫６１からの紙幣Ａの搬送を一旦停止し、ガイド板４４を上動させた後リジェクトスタック板４５を下動させて、一括保留部４１内の紙幣Ａを、リジェクト保留部４２内に送り込む。そして、上記と同じ手順で、新たに所定枚数の紙幣Ａの搬送を行う。
【００３３】
この場合、他の制御方法を執ってもよい。すなわち、重なった紙幣Ａが一括保留部４１に達する前に、ガイド板４４を上動させ、重なった紙幣Ａを直接リジェクト保留部４２に導くようにする。このとき、紙幣Ａのカウントを１回パスし、つぎの紙幣Ａからカウントを上乗せしてゆく。このようにして、リサイクルビルバリデータ１の一連の動作が行われる。
【００３４】
次に、本実施例の要部について詳細に説明する。図３に示すように、紙幣識別部４は、紙幣投入口８に連なる受入搬送路１０に沿って、逆止機構８１、識別機構（図示省略）および搬送機構８２（一部省略）を配設して、構成されている。紙幣投入口８から投入された紙幣Ａは、搬送機構８２により受入搬送路１０上を搬送され、またこの搬送過程で、識別機構によりその真偽および金種が識別され、その逆止機構８１の下流側の待機位置で待機する。ここで、その紙幣Ａが偽紙幣と識別されると、搬送機構８２が逆転してその紙幣Ａは直ちに返却され、真紙幣と識別されると、搬送機構８２が正転して金庫への搬送が行われる。
【００３５】
逆止機構６は、紙幣Ａにテープや紐などを付けて装置４内に送り込み、識別後テープを引いて紙幣Ａを引き抜くなどの、いたずらを防止するものであり、図４および図５に示すように、相互に平行に対向して受入搬送路１０を構成する上壁板８３および下壁板８４間に配設した６個の逆止片８５と、これら逆止片８５を取り付けた回動軸８６と、回動軸８６の一方の軸端に固定された回動アーム８７と、一端を回動アーム８７に掛け止めされこれを付勢するコイルばね８８とで構成されている。
【００３６】
回動軸８６は、受入搬送路１０の通路間隙の中間位置に、搬送方向に直交し且つ両壁板８３，８４に平行に配設されており、両端部を受入搬送路１０を構成する側壁板８９，８９に回動自在に軸支されている。６個の逆止片８５は、受入搬送路１０の幅方向に対して均等な間隔で配設されており（図５参照）、各逆止片８５は、中間部で回動軸８６に固定され、斜めに寝かせた状態で受入搬送路１０内に配設されている（図４参照）。各逆止片８５は、回動軸８６を中心にコイルばね８８により、前側の外端部が上壁板８３側に向かって、後側の外端部が下壁板８４側に向かって、それぞれ弱い力で付勢されている。この場合、受入搬送路１０の逆止片８５が配設されている部分は、拡幅形成され、また各逆止片８５の両外端部が当接する上壁板８３および下壁板８４の部位には、それぞれ鋭利に形成された各逆止片８５の外端部が、わずかに入り込む角孔（凹部）９０，９０が形成されている。
【００３７】
ここで、図６を参照して、逆止機構８１の作用について説明する。同図（ａ）に示すように、紙幣投入口８から紙幣Ａが差し込まれると、紙幣Ａの先端は逆止片８５の下側の側面に当たり、この側面に案内されて斜め下方に導かれる。さらに紙幣Ａが送り込まれると、紙幣Ａの先端が下壁板８４に当たりその反力で、コイルばね８８に抗して逆止片８５をわずかに回動させ、逆止片８５の下側をくぐり抜けて待機位置に至る。同様に、紙幣Ａを待機位置から返却する場合には、同図（ｂ）に示すように、紙幣Ａの尾端は逆止片８５の上側の側面に案内されて斜め上方に導かれ、コイルばね８８に抗して逆止片８５をわずかに回動させ、逆止片８５の上側をくぐり抜けて紙幣投入口８に至る。
【００３８】
一方、紙幣ＡにテープＴを取り付けて、待機位置にある紙幣Ａを引き抜く場合には、同図（ｃ）に示すように、紙幣Ａの尾端は、逆止片８５の上側の側面に案内されて、逆止片８５の上側をくぐり抜けようとするが、テープＴは、逆止片８５の下側から送り込まれているため、紙幣ＡとテープＴは回動軸８６を挟んで上下に分かれてしまう。したがって、さらにテープＴを強く引くとテープＴが切れ、紙幣Ａの引抜きが阻止される。
【００３９】
次に、第７図を参照して、紙幣識別部４の第２実施例について説明する。この実施例では、逆止片９１自体をばね片、すなわち板ばねなどので構成し、これを受入搬送路１０の通路間隙の中間位置に配設した支軸９２に固定している。逆止片９１は、前側の外端部が角孔９０に臨んで上壁板８３を弱い力で押圧し、後側の外端部が角孔９０に臨んで下壁板８４を弱い力で押圧するように、支軸９２に固定されている。
【００４０】
このため、図８に示すように、紙幣Ａが送り込まれてくると、第１実施例と全く同様に、紙幣Ａの先端は、逆止片９１の下側の側面に案内され、逆止片９１のばね力に抗してその下側をくぐり抜ける。また、ここでは図示しないが、返却時における紙幣Ａは、逆止片９１の上側をくぐり抜け、さらに、紙幣Ａを引き抜こうとすると、紙幣ＡとテープＴが支軸９２を挟んで上下に分かれ、紙幣Ａの引抜きが阻止される。また、この場合には、複数設けられている逆止片９１が独立してばね力を発揮しているので、引抜きの際に、テープＴが当たっている逆止片９１以外の逆止片９１は定常状態にあり（図７の状態）、より確実に紙幣Ａの引抜きを阻止する。
【００４１】
以上のようにこれらの実施例によれば、回動軸８６または支軸９２を中心に、逆止片９１の両外端部を、上壁板８３および下壁板８４に弱いばね力で押し付けるようにしているので、この部分を通過する紙幣Ａが、受入れ時および返却時で、回動軸８６または支軸９２を中心に上下に分かれることになり、紙幣Ａを引き抜く際に、テープＴを取り付けて送り込んだ紙幣ＡとテープＴとが上下に分かれ、紙幣Ａの引抜きを有効に防止することができる。
【００４２】
なお、第１実施例において、逆止片を固定軸に回動自在に取り付け、この逆止片に直接、回動アームおよびコイルばねを取り付けるようにしてもよい。また、逆止片の後部（逆止片を前下がりに取り付ける場合には前部）に重錘を埋め込み、回動アームおよびコイルばねを省略するようにしてもよい。さらに、逆止片の個数は任意である。
【００４３】
【発明の効果】
以上のように本発明の紙幣識別装置によれば、紙幣搬送路内に配設した逆止片の両外端部を、支軸を中心に紙幣搬送路を構成する両壁面側に付勢して、紙幣の出入りに対し、その通過経路を支軸を挟んで分けるようにしているので、従来のもののように駆動装置が必要なく、極めて単純かつコンパクトな構造で、紙幣の引抜きを阻止することができ、紙幣の引抜きを有効に防止することができる。
【図面の簡単な説明】
【図１】本発明の一実施例に係る紙幣識別装置であるリサイクルビルバリデータが紙幣受入れモードにある状態の断面図である。
【図２】本発明の一実施例に係る紙幣識別装置であるリサイクルビルバリデータが紙幣払出しモードにある状態の断面図である。
【図３】実施例の紙幣識別部の拡大断面図である。
【図４】逆止機構廻りの断面図である。
【図５】逆止機構廻りの部分裁断平面図である。
【図６】逆止機構の作動状態を表した断面図である。
【図７】第２実施例に紙幣識別部の逆止機構廻りの断面図である。
【図８】第２実施例の逆止機構の作動状態を表した断面図である。
【図９】従来の紙幣識別装置（１）の逆止機構の断面図である。
【図１０】従来の紙幣識別装置（２）の逆止機構の断面図である。
【符号の説明】
１  リサイクルビルバリデータ
４  紙幣識別部
８  紙幣投入口
１０  受入搬送路
８１  逆止機構
８３  上壁板
８４  下壁板
８５  逆止片
８６  回動軸
８８  コイルばね
９０  角孔
９１  逆止片
９２  支軸
Ａ  紙幣
Ｔ  テープ
【図１】
0003639332.tif 000002
【図２】
0003639332.tif 000003
【図３】
0003639332.tif 000004
【図４】
0003639332.tif 000005
【図５】
0003639332.tif 000006
【図６】
0003639332.tif 000007
【図７】
0003639332.tif 000008
【図８】
0003639332.tif 000009
【図９】
0003639332.tif 000010
【図１０】
0003639332.tif 000011